(57)【要約】【課題】  ブーツを搬送する際に用いるバッグは折り畳んでもあまり小さくならず、ブーツを取り出して使用してるときにはただの荷物になってしまっていた。使用していないときの収納性が高いブーツ搬送具を提供する。【解決手段】  ２本のリング状のベルトにそれぞれ結束具を設けたものを縦方向と横方向に組み合わせ、左右２カ所のベルトの交点を接合することで、搬送時はブーツをしっかりと保持することができ、使用しないときの収納性が高いブーツ搬送具を提供する。縦方向のベルトの下部がブーツ全体を下から支え上部が取っ手となる。横方法のベルトは左右一対のブーツの向きをそろえて安定させる役割を持つ。【選択図】       図１
2010018318.tif 000002
【特許請求の範囲】
【請求項１】
一カ所以上の結束具（５）の設けられたリング状の縦ベルト（２）と一カ所以上の結束具（５）の設けられたリング状の横ベルト（３）が、交差する左右２カ所の接合部（４）で接合された構造を持つブーツ搬送具（１）。
【発明の詳細な説明】
【技術分野】
【０００１】
本発明はブーツの搬送に使用される搬送具の機能を保ったまま構成する部材を減らし、使用しない際の収納性を向上させるものである。
【０００２】
ブーツとはくるぶしよりも上までの高さを持つ形状の履物の総称であり、ゴムやビニール等の素材を使用して防水機能を高めたものは長靴と呼ばれることもある。
【０００３】
ブーツには雨天時の履物だけでなく、ファッション用、レジャー用など多種多様の製品がある。レジャー用品としてのブーツは釣り等の水場で使用されるマリンブーツや、オフロードバイクで怪我防止のために使用されるプロテクター付きブーツ等がある。
【０００４】
スキーに使用されるスキー靴も足の力を路面に伝える効果を高めるためブーツ型になっている。またスケートで使用されるスケート靴もフィギュアやホッケー等の種目によっては高さのあるブーツ型である。
【０００５】
レジャー用の使用目的が限られているブーツは長時間の歩行や運転には向かず町中での着用ができない。その場合は使用する現場までは履いていかずに荷物として運び、現地で履き替えて使用することになる。
【背景技術】
【０００６】
ブーツは履物であるため左右一対となっており、まとめて運びやすくする搬送具として一般的にバッグが使用される。搬送中は必要なバッグもブーツを出してしまうとかさばる荷物となる。ブーツを入れられる大きさがあるので折り畳んでもポケットに入るような大きさにはならない。
【特許文献１】特許公開平１０−１９２０２７
【特許文献２】特許公開平８−２０５９１５
【特許文献３】特許公開平８−３３０
【特許文献４】特許公開平７−２０４０２０
【特許文献５】実用新案公開平６−５７３８１
【特許文献６】特許公開２００６−１６７１７４
【発明の開示】
【発明が解決しようとする課題】
【０００７】
搬送中は一対のブーツをまとめて持ちやすくし、使用しないときに収納しやすく邪魔にならないブーツ搬送具を提供する。
【課題を解決するための手段】
【０００８】
従来のブーツ搬送用バッグのブーツ一対をまとめ運びやすくするという機能を維持したまま、構成する部材を単純化することで、ブーツ搬送具を使用しない時の収納性を向上させる。
【発明の効果】
【０００９】
バッグのような複雑な形状だったものの機能を、縦横２本のベルトで再現することによりコンパクトな形状にまとめ収納性を向上させた。縫製が必要な部位も少なくなり、生産性も向上する。
【発明を実施するための最良の形態】
【００１０】
本発明の効果を実現させるには、左右のブーツをまとめる為のベルトと、まとめたブーツを持ち上げて運ぶ為のベルトと、それぞれのベルトを着脱する為の結束具で構成されればよい。
【００１１】
以下、本発明の実施例を図面を参照して説明する。
【実施例１】
【００１２】
図１が実施例１のブーツ搬送具をスキーブーツに使用した状態の正面図である。ブーツ搬送具（１）がスキーブーツ（６ａ）をまとめ搬送可能な状態にしている。
【００１３】
縦ベルト（２）がスキーブーツ（６ａ）の底側を通ることで横ベルト（３）でまとめられたスキーブーツ（６ａ）を持ち上げ、一周した縦ベルト（２）の上部が搬送する際の取っ手になる。
【００１４】
横ベルト（３）が左右のスキーブーツ（６ａ）のくるぶし部分を一周することで左右のスキーブーツ（６ａ）の向きを揃える役割を持つ。
【００１５】
縦ベルト（２）と横ベルト（３）が交点である縦横ベルトの接合部（４）で縫い付けや接着、熱による融合などにより接合されることで、横ベルト（３）によってまとめられたスキーブーツ（６ａ）を縦ベルト（２）で持ち上げた際に脱落することを防ぐ。
【００１６】
縦ベルト（２）と横ベルト（３）にブーツの着脱が簡単に行えるようにそれぞれ結束具（５）を設ける。
【００１７】
結束具（５）は一般的な鞄類でベルトの長さの調節などに使用されているものである。実施例では二分割型のバックルを結束具（５）として用いたが、分割しない一体型結束具（５ｃ）や、マジックベルト、スナップなどを用いても、同様の機能を実現することができる。
【００１８】
図２が実施例１のブーツ搬送具の正面図である。スキーブーツ（６ａ）が無い状態なので縦ベルト（２）と横ベルト（３）と、それぞれに設けられた結束具（５）だけの単純な構造になる。
【００１９】
図３が実施例１のブーツ搬送具をスキーブーツに使用した状態の側面図である。縦ベルト（２）と横ベルト（３）が交点である縦横ベルトの接合部（４）で縫い付けや接着、熱による融合などにより接合される。
【００２０】
図４が実施例１のブーツ搬送具の側面図である。スキーブーツ（６ａ）が無い状態なので縦ベルト（２）と横ベルト（３）と、それぞれに設けられた結束具（５）だけの単純な構造になる。
【００２１】
図５が実施例１のブーツ搬送具の結束具解放状態の正面図 である。実施例１に設けた二分割型の結束具（５）はメスバックル（５ａ）とオスバックル（５ｂ）に分離解放するため、図のような状態になる。
【００２２】
図６が実施例２のブーツ搬送具をスケート靴に使用した状態の正面図である。ブーツ搬送具（１ａ）がスケート靴（６ｂ）をまとめ搬送可能な状態にしている。
【００２３】
実施例２も基本構造は実施例１に準ずるが縦ベルト（２）の下部に結束具（５）が追加されている。
【００２４】
使用する対象物がスケート靴（６ｂ）の場合、底部にスケート靴の滑走刃（６ｃ）があり、実施例１をそのまま用いるとスケート靴の滑走刃（６ｃ）が縦ベルト（２）に当たってしまう。そこで縦ベルト（２）がスケート靴の滑走刃（６ｃ）を避けられるように、底部に結束具（５）を追加する。
【００２５】
図７が実施例２のブーツ搬送具の正面図である。スケート靴（６ｂ）が無い状態なので縦ベルト（２）と横ベルト（３）と、それぞれに設けられた結束具（５）だけの単純な構造になる。
【００２６】
図８が実施例２のブーツ搬送具をスケート靴に使用した状態の側面図である。縦ベルト（２）と横ベルト（３）が交点である縦横ベルトの接合部（４）で縫い付けや接着、熱による融合などにより接合されている。縦ベルト（２）の下部はスケート靴の滑走刃（６ｃ）の足の間を通すことで刃先に当たることを回避している。
【００２７】
図９が実施例２のブーツ搬送具の側面図である。スケート靴（６ｂ）が無い状態なので縦ベルト（２）と横ベルト（３）と、それぞれに設けられた結束具（５）だけの単純な構造になる。
【００２８】
図１０が実施例２のブーツ搬送具の結束具解放状態の正面図である。実施例２に設けた二分割型の結束具（５）はメスバックル（５ａ）とオスバックル（５ｂ）に分離解放するため、図のような状態になる。
【００２９】
図１１が二分割型の結束具の構造図（連結状態）である。実施例１及び実施例２に用いたオスメスに分離する二分割型の結束具（５）の連結状態で、（ａ）が正面図、（ｂ）が上面図である。
【００３０】
結束具（５）の少なくとも一端のベルトは長さの調整ができるように動かせることが望ましい。逆端についてはベルトを折り返したところで縫い付けてある状態として図示した。
【００３１】
図１２が二分割型の結束具の構造図（解放状態）である。実施例１及び実施例２に用いたオスメスに分離する二分割型の結束具（５）の分離状態で、（ａ）が正面図、（ｂ）が上面図である。
【００３２】
二分割型の結束具（５）がメスバックル（５ａ）とオスバックル（５ｂ）とに分離することでベルトの長さを調整したまま解放状態にすることができる。
【００３３】
図１３が一体型結束具の構造図（連結状態）である。（ａ）が正面図、（ｂ）が上面図である。
【００３４】
一体型結束具（５ｃ）の少なくとも一端のベルトは長さの調整と分離解放のために動かせる必要がある。逆端についてはベルトを折り返したところで縫い付けてある状態として図示した。
【００３５】
図１４が一体型結束具の構造図（解放状態）である。二分割型の結束具（５）のようには分離しないのでベルトの片端を一体型結束具（５ｃ）から抜き取ることで分離させる構造になっており、ベルトの長さの調整機能も兼ねている。
【００３６】
二分割型の結束具（５）と一体型結束具（５ｃ）のどちらを用いても本発明品の効果は実現できる。一度長さを調整してしまえば着脱の際に手間がかからないのは二分割型の結束具（５）であるが、一体型結束具（５ｆ）は構造が単純なため生産コストを抑えることができる。同様にに結束具（５）の部分にマジックベルトやスナップなどを用いても、本発明品の機能を実現することができる。
【産業上の利用可能性】
【００３７】
以上に説明したように、本発明はブーツの搬送という目的の他にも、似たような形状のものをまとめて搬送する用途に使用できる。例えば本やレコードを運ぶ為の簡易器具として使用することもできる。
【図面の簡単な説明】
【００３８】
【図１】実施例１のブーツ搬送具をスキーブーツに使用した状態の正面図である。
【図２】実施例１のブーツ搬送具の正面図である。
【図３】実施例１のブーツ搬送具をスキーブーツに使用した状態の側面図である。
【図４】実施例１のブーツ搬送具の側面図である。
【図５】実施例１のブーツ搬送具の結束具解放状態の正面図 である。
【図６】実施例２のブーツ搬送具をスケート靴に使用した状態の正面図である。
【図７】実施例２のブーツ搬送具の正面図である。
【図８】実施例２のブーツ搬送具をスケート靴に使用した状態の側面図である。
【図９】実施例２のブーツ搬送具の側面図である。
【図１０】実施例２のブーツ搬送具の結束具解放状態の正面図である。
【図１１】二分割型の結束具の構造図（連結状態）である。
【図１２】二分割型の結束具の構造図（解放状態）である。
【図１３】一体型結束具の構造図（連結状態）である。
【図１４】一体型結束具の構造図（解放状態）である。
【符号の説明】
【００３９】
１は実施例１のブーツ搬送具
１ａは実施例２のブーツ搬送具
２は縦ベルト。
３は横ベルト。
４は縦横ベルトの接合部。
５は結束具。
５ａはメスバックル。
５ｂはオスバックル。
５ｃは一体型結束具。
６ａはスキーブーツ。
６ｂはスケート靴。
６ｃはスケート靴の滑走刃。
【図１】
2010018318.tif 000003
【図２】
2010018318.tif 000004
【図３】
2010018318.tif 000005
【図４】
2010018318.tif 000006
【図５】
2010018318.tif 000007
【図６】
2010018318.tif 000008
【図７】
2010018318.tif 000009
【図８】
2010018318.tif 000010
【図９】
2010018318.tif 000011
【図１０】
2010018318.tif 000012
【図１１】
2010018318.tif 000013
【図１２】
2010018318.tif 000014
【図１３】
2010018318.tif 000015
【図１４】
2010018318.tif 000016